(57)【要約】【課題】ＰＳＴＮ／ＰＨＳ回線からＩＰ網への代替に対応可能なデータ通信システムを提供する。【解決手段】データ通信システムは、第１シリアルデータを入力し、第１シリアルデータをカプセル化データに変換して、移動体通信網に送信する送信装置と、移動体通信網を介してカプセル化データを受信し、カプセル化データを第１シリアルデータに対応する第２シリアルデータに変換する受信装置と、を備える。第１シリアルデータは、所定のモデムコマンド信号と、第１シリアルデータの内容を示すデータ信号と、を含み、送信装置は、第１シリアルデータからモデムコマンド信号を取得して、当該モデムコマンド信号が示す第１シリアルデータの宛先に関する情報を生成し、データ信号に基づき、宛先情報が付されたカプセル化データを作成するようにプログラムされる。【選択図】図７
2020178289.tif 000002
【特許請求の範囲】
【請求項１】
第１シリアルデータを入力し、前記第１シリアルデータをカプセル化データに変換して、移動体通信網に送信する送信装置と、
前記移動体通信網を介して前記カプセル化データを受信し、前記カプセル化データを前記第１シリアルデータに対応する第２シリアルデータに変換する受信装置と、
を備え、
前記第１シリアルデータは、所定のモデムコマンド信号と、当該第１シリアルデータの内容を示すデータ信号と、を含み、
前記送信装置は、
前記第１シリアルデータから前記モデムコマンド信号を取得して、当該モデムコマンド信号が示す前記第１シリアルデータの宛先に関する情報を生成し、
前記データ信号に基づき、前記宛先情報が付された前記カプセル化データを作成するようにプログラムされた、
データ通信システム。
【請求項２】
前記モデムコマンド信号は、前記宛先と関連付けられたキー番号または前記宛先のダイヤル番号を含み、
前記送信装置は、前記キー番号または前記ダイヤル番号に基づき、前記宛先情報を生成する、
請求項１に記載のデータ通信システム。
【請求項３】
前記ダイヤル番号は、前記宛先のＩＰアドレスを含む、
請求項２に記載のデータ通信システム。
【請求項４】
前記送信装置は、
前記第１シリアルデータを公衆交換電話網に送信可能な第１送信ポートと、
前記カプセル化データを前記移動体通信網に送信可能な第２送信ポートと、
を備え、
前記送信装置は、さらに、前記第１シリアルデータの処理を切り換えることにより、前記第１送信ポートおよび前記第２送信ポートの間で、当該送信装置からの実際の送信に用いられるポートを選択するようにプログラムされた、
請求項１〜３のいずれか一項に記載のデータ通信システム。
【請求項５】
前記受信装置は、
公衆交換電話網から第３シリアルデータを受信可能な第１受信ポートと、
前記移動体通信網から前記カプセル化データを受信可能な第２受信ポートと、
を備え、
前記受信装置は、さらに、
前記カプセル化データを前記第２シリアルデータに変換し、
前記第２シリアルデータおよび前記第３シリアルデータの間で、アプリケーションに提供するシリアルデータを選択し、
選択したシリアルデータを、シリアル接続により前記アプリケーションに提供するようにプログラムされた、
請求項１〜４のいずれか一項に記載のデータ通信システム。
【請求項６】
前記送信装置が設備からシリアル接続により前記第１シリアルデータを入力する、請求項１〜５のいずれか一項に記載のデータ通信システムであって、
前記送信装置は、前記カプセル化データに、前記設備の位置情報、前記設備に備わるセンサの検出値を示すセンサデータおよび当該送信装置が置かれた通信環境における電波強度のうち、すくなくとも１つを封入する、
請求項１〜５のいずれか一項に記載のデータ通信システム。
【請求項７】
シリアルデータを入力し、前記シリアルデータをカプセル化データに変換するカプセル化ユニットと、
前記カプセル化データを移動体通信網に送信可能な送信ポートと、
を備え、
前記シリアルデータは、所定のモデムコマンド信号と、当該シリアルデータの内容を示すデータ信号と、を含み、
前記カプセル化ユニットは、
前記シリアルデータから前記モデムコマンド信号を取得して、当該モデムコマンド信号が示す前記シリアルデータの宛先に関する情報を生成し、
前記データ信号に基づき、前記宛先情報が付された前記カプセル化データを作成するようにプログラムされた、
データ送信装置。
【発明の詳細な説明】
【技術分野】
【０００１】
本発明は、移動体通信網を介してシリアルデータを通信するデータ通信システムおよびデータ送信装置に関する。
【背景技術】
【０００２】
駐車場精算機、自動販売機、銀行ＡＴＭ（現金自動預け払い機）および監視カメラ等の遠隔監視のデータ通信には、ＰＳＴＮ（公衆交換電話網：Ｐｕｂｌｉｃ  Ｓｗｉｔｃｈｅｄ  Ｔｅｌｅｐｈｏｎｅ  Ｎｅｔｗｏｒｋ）／ＰＨＳ回線が用いられている。
【発明の概要】
【発明が解決しようとする課題】
【０００３】
ＰＳＴＮ／ＰＨＳ回線からＩＰ網への代替の予定を背景に、ＩＰ網による通信システムへの移行が求められている。
【０００４】
本発明は、ＰＳＴＮ／ＰＨＳ回線からＩＰ網への代替に対応可能なデータ通信システムを提供することを目的とする。
【０００５】
本発明は、そのようなデータ通信システムを、移行に要する費用を抑えて実現することを他の目的とする。
【０００６】
本発明は、ＰＳＴＮ／ＰＨＳ回線による既存システムとの共存を可能とすることを更に別の目的とする。
【課題を解決するための手段】
【０００７】
本発明の一形態では、データ通信システムを提供する。本形態に係るデータ通信システムは、第１シリアルデータを入力し、第１シリアルデータをカプセル化データに変換して、移動体通信網に送信する送信装置と、移動体通信網を介してカプセル化データを受信し、カプセル化データを第１シリアルデータに対応する第２シリアルデータに変換する受信装置と、を備える。第１シリアルデータは、所定のモデムコマンド信号と、第１シリアルデータの内容を示すデータ信号と、を含み、送信装置は、第１シリアルデータからモデムコマンド信号を取得して、当該モデムコマンド信号が示す第１シリアルデータの宛先に関する情報を生成し、データ信号に基づき、宛先情報が付されたカプセル化データを作成するようにプログラムされる。
【発明の効果】
【０００８】
本発明によれば、ＰＳＴＮ／ＰＨＳ回線からＩＰ網への代替に対応可能なデータ通信システムが提供される。ここで、第１シリアルデータの宛先情報の生成および宛先情報が付されたカプセル化データの作成を、ソフトウェア的に行うことで、データ通信システムの構築（つまり、ＩＰ網への代替に対するシステムの移行）に要する費用を抑制することが可能となる。さらに、ＰＳＴＮ／ＰＨＳ回線による既存システムとの共存が可能となり、既存システムのハードウェア資源を活用しながら、システムの移行を実現することができる。
【図面の簡単な説明】
【０００９】
【図１】図１は、本発明の一実施形態に係るデータ通信システムにより構築される通信ネットワークの構成を示す概略図である。
【図２】図２は、同上実施形態に係るデータ通信システムの構成を機能ブロックにより示す概略図である。
【図３】図３は、同上実施形態に係るデータ通信システムの変形例の構成を示す概略図である。
【図４】図４は、本発明の他の実施形態に係るデータ通信システムにより構築される通信ネットワークの構成を示す概略図である。
【図５】図５は、同上実施形態に係るデータ通信システム（データセンタ）の構成を機能ブロックにより示す概略図である。
【図６】図６は、本発明の一実施形態に係るデータ通信システムの接続シーケンスを示す概略図である。
【図７】図７は、同上実施形態に係るデータ通信システムの宛先生成に関する動作のフローチャートによる説明図である。
【発明を実施するための形態】
【００１０】
以下、図面を参照して、本発明の実施形態について説明する。
【００１１】
図１は、本発明の一実施形態に係るデータ通信システムＳ１により構築される通信ネットワークの構成を概略的に示す。
【００１２】
本実施形態に係るデータ通信システム（以下、単に「システム」という場合がある）Ｓ１は、設備１０１とデータセンタ２０１との間で、シリアルデータの通信を提供する。シリアルデータは、データセンタ２０１での収集および使用を目的とするデータを含む。設備１０１とデータセンタ２０１とは、データ通信システムＳ１により移動体通信網Ｎ１を介して接続されるほか、既存の光回線網Ｎ２を介して接続された状態にある。光回線網Ｎ２に対する設備１０１およびデータセンタ２０１の接続は、例えば、ＬＡＮ（ローカルエリアネットワーク）を介してなされる。
【００１３】
設備１０１は、現地データの取得を目的として、データセンタ２０１に対して遠隔配置される。本実施形態に適用可能な設備として、駐車場精算機、自動販売機、銀行ＡＴＭ（現金自動預け払い機）、監視カメラ、エレベータ監視装置、配電盤（スマートメータ）、風力計およびカーナビゲーションシステム等を例示することができる。データセンタ２０１は、シリアルデータの使用を目的としたアプリケーション２０１ａを備える。
【００１４】
データ通信システムＳ１は、設備１０１からシリアルデータ（「第１シリアルデータ」に相当する）を入力し、これをカプセル化データに変換して、移動体通信網Ｎ１に送信する一方、移動体通信網Ｎ１を介して受信したカプセル化データを、第１シリアルデータに対応するシリアルデータ（「第２シリアルデータ」に相当する）に変換し、データセンサ２０１のアプリケーション２０１ａに提供する。データ通信システムＳ１は、これらの動作を、ソフトウェア的に実現するものである。ソフトウェア的手法の採用により、システムＳ１の構築に要する費用を抑制することが可能である。
【００１５】
データ通信システムＳ１は、その基本的な構成要素として、送信装置１と、受信装置２と、を備える（図１は、受信装置２に属する要素の範囲を、二点鎖線の枠により概念的に示す）。
【００１６】
送信装置１は、設備１０１から第１シリアルデータを入力する。設備１０１に対する接続Ｃ１は、シリアル接続であり、例えば、ＵＳＡＲＴ（汎用同期／非同期送受信回路）による。送信装置１は、第１シリアルデータを所定のカプセル化データに変換し、移動体通信網Ｎ１に送信するデータカプセル化ユニット１１を備える。データカプセル化ユニット１１は、ソフトウェア的に実現されるものであり、送信装置１は、演算回路をデータカプセル化ユニット１１として機能させるようにプログラムされている。本実施形態において、送信装置１は、ゲートウェイ１ｇとして具現される。
【００１７】
受信装置２は、送信装置１から送信されたカプセル化データを受信する。受信装置２は、カプセル化データを第２シリアルデータに変換し、変換後のシリアルデータをアプリケーション２０１ａに提供するデータシリアル化ユニット２１ａ、２１ｂを備える。アプリケーション２０１ａに対する接続Ｃ２、Ｃ３は、いずれもシリアル接続である。データシリアル化ユニット２１は、データカプセル化ユニット１１と同様にソフトウェア的に実現され、受信装置２は、演算回路をデータシリアル化ユニット２１ａ、２１ｂとして機能させるようにプログラムされている。受信装置２は、ゲートウェイ２ｇとして具現するだけでなく（データシリアル化ユニット２１ａによる）、データセンタ２０１に実装することによっても具現可能である（データシリアル化ユニット２１ｂによる）。ゲートウェイ２ｇとして具現する場合のアプリケーション２０１ａに対する接続Ｃ２は、ＵＳＡＲＴ等によることが可能である。他方で、データセンタ２０１に実装する場合の接続Ｃ３は、受信装置２（データシリアル化ユニット２１ｂ）が仮想的なモデムポートｐを構築することによる。仮想ポートｐの構築も、プログラムの指令によるものである。
【００１８】
本実施形態では、設備１０１からデータセンタ２０１へ送信する場合について示すが、データの送信方向は、これに限定されるものではなく、データセンタ２０１から設備１０１へ送信することも可能である。その場合は、データセンタ２０１から送信されるシリアルデータが「第１シリアルデータ」となる。
【００１９】
図２は、データ通信システムＳ１の構成、特にデータカプセル化ユニット１１およびデータシリアル化ユニット２１（２１ａ、２１ｂ）の構成を機能ブロックにより示す。データカプセル化ユニット１１とデータシリアル化ユニット２１とは、送受信の方向に対して構成に対称性があるため、以下の説明は、送受信の方向が入れ替わった場合の受信装置２についても適用される。
【００２０】
データカプセル化ユニット１１は、入力ポート１１１および通信モジュール１１６を備えるほか、ソフトウェア的に実現される機能として、モデムエミュレータ１１２、データコンバータ１１３、宛先情報生成テーブル１１４およびＯＳ（オペレーティングシステム）１１５を備える。対して、データシリアル化ユニット２１は、入力ポート２１１、モデムエミュレータ２１２、データコンバータ２１３、宛先情報生成テーブル２１４、ＯＳ（オペレーティングシステム）２１５および通信モジュール２１６を備える。
【００２１】
入力ポート１１１は、コムポート等のシリアル通信ポートとして具現され、設備１０１から第１シリアルデータを入力する。入力した第１シリアルデータは、信号線を介してモデムエミュレータ１１２に伝送される。ここで、第１シリアルデータは、所定のモデムコマンド信号と、第１シリアルデータの内容を示すデータ信号と、を含み、モデムエミュレータ１１２は、第１シリアルデータからモデムコマンド信号を取得し、宛先情報生成テーブル１１４に提供する一方、データ信号（デジタル信号）をアナログ変換し、変換後のデータ信号をデータコンバータ１１３に提供する。宛先情報生成テーブル１１４は、モデムコマンド信号を参照して、モデムコマンド信号が示す第１シリアルデータの宛先に関する情報を生成する。本実施形態において、この宛先情報は、データセンタ２０１のＩＰアドレスである。モデムコマンド信号から宛先情報であるＩＰアドレスを生成する具体的な方法は、後に説明する。データコンバータ１１３は、データ信号に基づき、宛先情報、つまり、データセンタ２０１の宛先が付されたカプセル化データを作成する。ここで、シリアルデータからカプセル化データへの変換、つまり、データのカプセル化がなされる。カプセル化データは、ＯＳ１１５による制御のもと、通信モジュール１１６により移動体通信網Ｎ１に送信される。
【００２２】
これに対し、データシリアル化ユニット２１は、移動体通信網Ｎ１から通信モジュール２１６により受信したカプセル化データを、データコンバータ２１３で第２シリアルデータに変換し、さらに、モデムエミュレータ２１２によりデジタル変換した後、変換後のシリアルデータを、出力ポート（例えば、コムポート等のシリアル通信ポート）２１１を介してデータセンタ２０１に提供する。
【００２３】
図３は、本実施形態に係るデータ通信システムＳ１の変形例の構成を示す。
【００２４】
図３（ａ）は、受信装置２のデータシリアル化ユニット２１ａをゲートウェイ２ｇに実装し、図１に示す例からデータセンタ２０１に実装されるデータシリアル化ユニット２１ｂを省略した場合の例である。
【００２５】
図３（ｂ）は、受信装置２のデータシリアル化ユニット２１ｂをデータセンタ２０１に実装し、図１に示す例からゲートウェイ２ｇに実装されるデータシリアル化ユニット２１ａを省略した場合の例である。この場合に、ゲートウェイ２ｇと受信装置２との接続は、例えば、ＬＡＮによる。
【００２６】
図３（ｃ）は、図３（ｂ）に示す構成において、さらに、移動体通信網Ｎ１１から光回線網Ｎ１２を介してカプセル化データを受信可能とした場合の例である。カプセル化データは、光回線網Ｎ１２からゲートウェイ２ｇを介して受信装置２に入力される。
【００２７】
図３に示していないが、移動体通信網Ｎ１１と光回線網Ｎ１２とは、図３（ｃ）に対して互いに入れ替えた位置関係にあってもよい。つまり、送信装置１から光回線網にＬＡＮ等を介して送信されたカプセル化データを、受信装置２により、移動体通信網を介して受信可能とするのである。
【００２８】
図４は、本発明の他の実施形態に係るデータ通信システムＳ２により構築される通信ネットワークの構成を概略的に示す。
【００２９】
本実施形態では、設備として、データ通信システムＳ２による接続対象である第１設備１０１ａのほか、データセンタ２０１に対し、既存の公衆交換電話網Ｎ３を介して接続された状態にある第２設備１０１ｂが備わる。第１設備１０１ａと第２設備１０１ｂとは、同種設備であってもよいし、異種設備であってもよい。例えば、第１設備１０１ａおよび第２設備１０１ｂをいずれも銀行ＡＴＭとしたり、第１設備１０１ａを銀行ＡＴＭとし、第２設備１０１ｂを駐車場精算機としたりすることが可能である。これにより、公衆交換電話網Ｎ３を用いた既存システムとの共存を可能とする。
【００３０】
第２設備１０１ｂは、データセンタ２０１に対して既存の公衆交換電話網（ＰＳＴＮ）Ｎ３を介して接続されている。第２設備１０１ｂの公衆交換電話網Ｎ３に対する接続およびデータセンタ２０１の公衆交換電話網Ｎ３に対する接続には、いずれも公知の中継ユニット５、６を採用することが可能であり、適用可能な中継ユニット５、６として、アナログモデム、ＩＳＤＮターミナルアダプタまたはＰＨＳを例示することができる。第２設備１０１ｂおよびデータセンタ２０１の中継ユニット５、６に対する接続は、例えば、ＵＳＡＲＴによる。
【００３１】
本実施形態において、データ通信システムＳ２は、受信装置２の構成に主な特徴を有する。図４は、受信装置２に属する要素の範囲を、二点鎖線の枠により概念的に示す。送信装置１の構成は、図１に示すのと同様であってもよい。先に述べたように、受信装置２のデータシリアル化ユニット２１は、ゲートウェイ２ｇに実装することも（２１ａ）、データセンタ２０１に実装することも可能である（２１ｂ）。
【００３２】
受信装置２は、データの受信ポートとして、公衆交換電話網Ｎ３からシリアルデータ（「第３シリアルデータ」に相当する）を受信可能な第１受信ポートと、移動体通信網Ｎ１からカプセル化データを受信可能な第２受信ポートと、を備える。本実施形態において、第１受信ポートは、中継ユニット６に対するポートを形成するものであり、中継ユニット６に対する接続は、例えば、ＵＳＡＲＴによる。他方で、第２受信ポートは、データシリアル化ユニット２１ａ、２１ｂにより形成され、通信モジュールの配置に応じ、ゲートウェイ２ｇかデータセンタ２０１かに備わる。
【００３３】
受信装置２は、さらに、ポートスイッチャ２２を備える。ポートスイッチャ２２は、カプセル化データから変換した第２シリアルデータと、公衆交換電話網Ｎ３を介して受信した第３シリアルデータと、の間で、アプリケーション２０１ａに提供するシリアルデータを選択する。そして、ポートスイッチャ２２は、選択したシリアルデータをアプリケーション２０１ａに提供する。ここで、ポートスイッチャ２２は、シリアルデータの提供に際し、アプリケーション２０１ａに対する仮想的なポートｐ２を構築する。
【００３４】
上記以外の構成は、つまり、送信装置１（データカプセル化ユニット１１）およびデータシリアル化ユニット２１ａ、２１ｂの構成は、図４に示すもの以外に、図３（ａ）〜（ｃ）のいずれに示すものであってもよい。
【００３５】
図５は、本実施形態に係るデータ通信システムＳ２（データセンタ２０１）の構成を機能ブロックにより示す。データセンタ２０１を送信側とする場合を例に、データセンタ２０１の構成を説明する。
【００３６】
データセンタ２０１は、アプリケーション２０１ａ、通信モジュール２１６および通信ポート２２１を備えるほか、ソフトウェア的に実現される機能として、仮想ポートｐ２、ポートスイッチャ２２、仮想ポートｐ１、モデムエミュレータ２１２、データコンバータ２１３および宛先情報生成テーブル２１４を備える。
【００３７】
アプリケーション２０１ａがシリアルデータ（「第１シリアルデータ」に相当する）を出力すると、第２仮想ポートｐ２は、これを通過させ、ポートスイッチャ２２に入力させる。ポートスイッチャ２２は、シリアルデータからモデムコマンド信号（具体的には、モデム発呼コマンドを示す信号）を取得し、モデム発呼コマンドに基づき、通信モジュール２１６により形成されるポートと、通信ポート２２１と、の間で、シリアルデータの送信に用いられるポートを選択する。通信モジュール２１６によるポートが選択された場合に、第１仮想ポートｐ１は、シリアルデータを通過させ、モデムエミュレータ２１２に入力させる。モデムエミュレータ２１２は、モデム信号を宛先情報生成テーブル２１４に提供する一方、アナログ変換後のデータ信号をデータコンバータ２１３に提供する。宛先情報生成テーブル２１４は、モデムコマンド信号からテーブル参照により宛先情報を生成する。宛先情報は、宛先である設備のＩＰアドレスであってもよいし、他のデータセンタのＩＰアドレスであってもよい。データコンバータ２１３は、データ信号に基づき、宛先情報が付されたカプセル化データを作成する。カプセル化データは、通信モジュール２１６により移動体通信網Ｎ１に送信される。他方で、通信ポート２２１が選択された場合は、シリアルデータが通信ポート２２１に伝送され、通信ポート２２１から中継ユニット（例えば、ＩＳＤＮ−ＴＡ）６を介して公衆交換電話網Ｎ３に送信される。
【００３８】
ポートスイッチャ２２は、シリアルデータの送信に用いられるポートを、移動体通信網Ｎ１への送信のための通信ポートと、公衆交換電話網Ｎ３への送信のための通信ポートと、の間で選択するばかりでなく、移動体通信網Ｎ１への送信を目的とした複数の通信ポートの間で、選択するようにしてもよい。この場合は、図５中、点線の枠Ａに示すのと同様の構成（仮想ポートｐ１、モデムエミュレータ２１２、データコンバータ２１３および宛先情報生成テーブル２１４）が、枠Ｂのなかに構築される。
【００３９】
図６は、本実施形態に係るデータ通信システムＳ１、Ｓ２の接続シーケンスを示す。図６（ａ）は、接続シーケンスの内容を示し、図６（ｂ）は、本実施形態に適用可能なカプセル化データの構成を示す。図６（ａ）および６（ｂ）を参照して、設備１０１からデータセンタ２０１へシリアルデータを送信する場合の接続シーケンスについて説明する。
【００４０】
設備１０１と送信装置１との間、さらに、データセンタ２０１と受信装置２との間での初期化コマンドおよび応答コマンドの授受が完了し、送信装置１および受信装置２の初期化が完了した後、設備１０１がシリアルデータ（第１シリアルデータ）を出力すると、送信装置１は、シリアルデータからモデム発呼コマンドを取得し、これが示すデータセンタ２０１の宛先情報を生成する。宛先情報は、ＩＰアドレスである。送信装置１は、生成した宛先情報、つまり、ＩＰアドレスにより、移動体通信網Ｎ１に対するＩＰ（インターネットプロトコル）接続を確立する。これに対応して、受信装置２は、データセンタ２０１に対してモデム着呼コマンドを出力する。データセンタ２０１が応答コマンドを返信すると、設備１０１は、送信装置１からこれに対する接続応答コマンドを受信する。これにより、設備１０１とデータセンタ２０１との間での、移動体通信網Ｎ１を介したＩＰ接続が確立する。その後、送信装置１（データカプセル化ユニット１１）は、設備１０１から入力したシリアルデータをカプセル化データに変換し、移動体通信網Ｎ１に送信する。他方で、受信装置２（データシリアル化ユニット２１）は、移動体通信網Ｎ１を介してカプセル化データを受信し、さらに、これをシリアルデータに変換、つまり、復元し、データセンタ２０１のアプリケーション２０１ａに提供する。
【００４１】
カプセル化データは、シリアルデータ（カプセル化に際して分割した一部）およびヘッダのほか、これに限定されるものではないが、設備１０１の位置情報、設備１０１に関する監視情報（例えば、設備１０１に備わるセンサの検出値を示すセンサデータ）および当該送信装置１が置かれた通信環境における電波強度のうち、すくなくとも１つを封入することが可能である。
【００４２】
図７は、本実施形態に係る接続シーケンスのフローチャートである。
【００４３】
Ｓ１０１では、モデムコマンドを発行する。
【００４４】
Ｓ１０２では、宛先指定ファイルがあるか否かを判定する。宛先指定ファイルがある場合は、Ｓ１０３へ進み、宛先指定ファイルがない場合は、Ｓ１０４へ進む。ここで、宛先指定ファイルとは、シリアルデータに埋め込まれたキー番号とこれに対応する宛先のＩＰアドレスとの対応関係を示すファイルであり、例えば、キー番号と宛先のＩＰアドレスとをリストに示したテーブルを含む。入力したシリアルデータ（第１シリアルデータ）に所定のキー番号が存在する場合に、宛先指定ファイルがあるものとする。
【００４５】
Ｓ１０３では、宛先指定ファイルを読み込み、キー番号によりこのファイルのテーブルを検索することで、宛先のＩＰアドレスを判別する。
【００４６】
Ｓ１０４では、モデムコマンドが示すダイヤル番号がＮ桁（例えば、１７桁）であるか否かを判定する。Ｎ桁である場合は、Ｓ１０５へ進み、Ｎ以外の桁数である場合は、Ｓ１０７へ進む。
【００４７】
Ｓ１０５では、ダイヤル番号に基づき、宛先情報を生成する。本実施形態では、宛先情報として、宛先のＩＰアドレスを生成するとともに、ポート番号を判別する。具体的には、ダイヤル番号が１７桁の「１９２１６８００１００１０５０００」である場合に、ダイヤル番号を、大きな桁から順に５つのグループ３／３／３／３／５に分解する。そして、初めの４つのグループからＩＰアドレスを、残りの１つからポート番号を生成する。例示のＩＰアドレスおよびポート番号は、次のようである。
【００４８】
ＩＰアドレス：１９２．１６８．１．１
ポート番号：５０００
Ｓ１０６では、第１シリアルデータをカプセル化データに変換し、移動体通信網Ｎ１に接続する。変換後のカプセル化データは、例えば、図６（ｂ）に示すようであり、第１シリアルデータの内容を示す信号部以外に、位置情報、センサデータおよび電波強度を示す信号部を有する。
【００４９】
Ｓ１０７では、公衆交換電話網Ｎ３に接続する。
【００５０】
以上の説明から抽出可能な概念として、特許請求の範囲に記載のもの以外を以下に纏める。
【００５１】
第１は、移動体通信網からカプセル化データを受信可能な受信ポートと、前記カプセル化データをシリアルデータに変換し、変換後の前記シリアルデータをアプリケーションに対してシリアル接続により提供するようにプログラムされたシリアル化ユニットと、を備える、データ受信装置である。
【００５２】
第２は、移動体通信網を介してシリアルデータを通信する方法であって、所定のモデムコマンド信号と、シリアルデータの内容を示すデータ信号と、を含む第１シリアルデータをカプセル化データに変換し、変換後の前記カプセル化データを前記移動体通信網に送信し、前記移動体通信網から前記カプセル化データを受信し、受信した前記カプセル化データを、前記第１シリアルデータに対応する第２シリアルデータに変換し、前記カプセル化データへの変換において、前記第１シリアルデータから前記モデルコマンド信号を抽出する第１演算と、前記モデムコマンド信号に基づき、当該モデムコマンド信号が示す前記第１シリアルデータの宛先に関する情報を生成する第２演算と、前記データ信号に基づき、前記宛先情報が付された前記カプセル化データを作成する第３演算と、を実行する、データ通信方法である。
【００５３】
以上、本発明の実施形態について説明したが、上記実施形態は、本発明の適用例の一部を示したに過ぎず、本発明の技術的範囲を、上記実施形態の具体的構成に限定する趣旨ではない。上記実施形態に対し、特許請求の範囲に記載した事項の範囲内で様々な変更および修正が可能である。
【符号の説明】
【００５４】
Ｓ１、Ｓ２…データ通信システム
１…送信装置
１１…データカプセル化ユニット（ソフトウェアモデム）
２…受信装置
２１（２１ａ、２１ｂ）…データシリアル化ユニット（ソフトウェアモデム）
２２…ポートスイッチャ
１０１、１０１ａ、１０１ｂ…設備
２０１…データセンタ
２０１ａ…アプリケーション
Ｎ１…移動体通信網
Ｎ２…光回線網
Ｎ３…公衆交換電話網
【図１】
2020178289.tif 000003
【図２】
2020178289.tif 000004
【図３】
2020178289.tif 000005
【図４】
2020178289.tif 000006
【図５】
2020178289.tif 000007
【図６】
2020178289.tif 000008
【図７】
2020178289.tif 000009